(57)【要約】【課題】  スリッターを壁紙糊付機本体に簡便な操作でしっかりと取付けられることは勿論のこと、裁断及び糊付作業中の振動や長期の使用によっても確実な固定状態が維持される壁紙糊付機を得る。【解決手段】  原反ロールから引き出されるシート状壁装材の両縁部を連続的に裁断するスリッターと、スリッターで両縁部が裁断された壁装材の裏面に連続的に糊を塗布する糊付機本体とを含む壁紙糊付機において、スリッターと糊付機本体との間にはスリッターを糊付機本体に着脱可能に装着するための第１掛止機構と第２掛止機構とが互いに異なる高さ位置で設けられ、第１掛止機構と第２掛止機構との少なくとも一方にはスリッターを糊付機本体に押し付ける押圧手段が設けられているもの。【選択図】      図１
2005052765.tif 000002
【特許請求の範囲】
【請求項１】
原反ロールから引き出されるシート状壁装材の両縁部を連続的に裁断するスリッターと、スリッターで両縁部が裁断された前記壁装材の裏面に連続的に糊を塗布する糊付機本体とを含む壁紙糊付機において、
前記スリッターと糊付機本体との間にはスリッターを糊付機本体に着脱可能に装着するための第１掛止機構と第２掛止機構とが互いに異なる高さ位置で設けられ、
前記第１掛止機構と第２掛止機構との少なくとも一方にはスリッターを糊付機本体に押し付ける押圧手段が設けられていることを特徴とする壁紙糊付機。
【請求項２】
前記押圧手段として、前記スリッターの自重に基づいて該スリッターを糊付機本体に押し付ける力を生じさせる接触伝動機構を含むことを特徴とする請求項１に記載の壁紙糊付機。
【請求項３】
第１掛止機構が第２掛止機構の上方に位置し、
前記押圧手段として、
前記スリッターの自重に加えて、該スリッターを糊付機本体に対して相対的に押し下げる方向の力を第１掛止機構に付与する押し下げ機構と、
該押し下げ機構による力の作用に基づいてスリッターを糊付機本体に押し付ける力を第２掛止機構に与える接触伝動機構とを含むことを特徴とする請求項２に記載の壁紙糊付機。
【請求項４】
前記接触伝動機構として、
前記スリッター又は糊付機本体の一方に固定された接触伝動機構のフック状部材と、該フック状部材に対向してスリッター又は糊付機本体の他方に固定された接触伝動機構の掛合片とを含み、
前記フック状部材が掛合片と摺接するエッジ又は面は、前記自重又は押し下げ機構による力の作用に基づいてスリッターを糊付機本体に押し付ける力とするテーパーを含むことを特徴とする請求項２又は３に記載の壁紙糊付機。
【請求項５】
前記糊付機本体が、壁装材を装着する際に開放される上部構体と、壁装材の裏面に連続的に糊を塗布する糊付ロールを含む下部構体とを含み、
前記下部構体の上面には、前記スリッターに固定された第１掛止機構用フック材が掛止される第１掛止機構用掛合片が設けられ、
前記押し下げ機構として、第１掛止機構用フック材が掛止された第１掛止機構用掛合片の掛合部分に対向して上部構体に設けられた突設片を備えたことを特徴とする請求項３又は４に記載の壁紙糊付機。
【請求項６】
前記接触伝動機構用掛合片が、板バネ機構を介してスリッター又は糊付機本体へ固定されていることを特徴とする請求項４に記載の壁紙糊付機。
【発明の詳細な説明】
【技術分野】
【０００１】
本発明は、壁紙糊付機に関し、特に壁紙糊付機とスリッターとの取付構造に関するものである。
【背景技術】
【０００２】
図５は従来の自動壁紙糊付機の全体構成を示す側面透視図である。図５に示す通り、本自動壁紙糊付機５１は、糊を収容する糊桶５４が設置される下部構体５２と、この下部構体５２に対して開閉可能に設置された上部構体５３と、下部構体５２を支持する脚部５３１とから主に構成される。
【０００３】
下部構体５２内には、シート状壁装材（以下、クロスと記す）Ｃを糊付機本体５１内に後面側から引き入れて糊付ロール５８へ送り出し取り込むための全幅の送り出しロール５６と、糊桶５４内の糊を糊付ロール５８に転写する糊上げロール５１３と、クロス裏面に糊を塗布する糊付ロール５８と、この糊付ロール５８に接して糊量を調節するドクターロール５７と、クロスＣに適度な張力を与えて前部方向へ送り出す均しロール５９とが互いにギアを介して連動可能にかつ所定間隔を持って平行に配列されるように糊桶５４の側板又はこれと平行な軸受板に軸支されている。
【０００４】
一方、上部構体５３内には、送り出しロール５６と対になってピンチロールを構成する上側ピンチロール５１０と、下部構体５２内に配列されているロールとギアを介して連動されクロスＣに糊付機本体前部方向への送り出し張力を付与するためのドライブロール５１２と、これら上側ピンチロール５１０とドライブロール５１２との間でクロスＣを上から押さえ込む押さえステー５１１とが、互いに所定間隔で平行に配列されるように、それぞれ上部構体５３の本体両側軸受フレームに軸支されている。
【０００５】
また、下部構体５２の両側縁部を支持する一対の脚部５３１には、クロス受けブラケット５４２の先端部に支持されたクロス芯棒５４１に中心軸を通された原反ロール５４０から繰り出されるクロスＣに当接して糊付機本体の引き込み口での引き込み荷重を与える第１のテンションバー５３２が橋架されている。そして、その上方には、同じくクロスＣに当接して引き込み口での引き込み荷重を与える第２のテンションバー５３３が橋架されている。
【０００６】
下部構体５２の後面側には、クロスの両側縁部を裁断するオーバーカッター（上刃）６２とアンダーカッター（下刃）６３とを備えたスリッター６１が着脱可能に取り付けられている。スリッター６１は下部構体５２の送り出しロール５６の後面側の後面側ステー６０にスリッター６１の固定フック６４を引っ掛け、面一となった下部構体の両軸受板の内側面とスリッター６１の軸受板の内側面とに設けられた止め金６５と掛け金（所謂、パチン錠）６６とによって固定される。
【０００７】
糊付機本体５１とスリッター６１との固定は、スリッター６１のアンダーカッター６３の駆動源が糊付ロールをはじめとするロールの駆動から歯車で得ていることから、確実にされている必要がある。止め金６５とパチン錠６６との固定が不十分であると、スリッター６１は上方に持ち上がり、壁紙の裁断点が一定にならないため、きれいな裁断が行われなくなる。
【０００８】
しかしながら、止め金とパチン錠とによる固定は、作業者にとっては、けっこう煩わしいものであり、簡便な操作でしっかりと取付けられる構造が望まれていた。そのような要望の中、止め金とパチン錠とによる固定ではなく、ピン体に対して変形して掛合可能な弾性係止体による着脱構造が既に提案されている（例えば、特許文献１参照）。
【０００９】
【特許文献１】特開平０９−１５００８４号公報
【発明の開示】
【発明が解決しようとする課題】
【００１０】
しかしながら、先の提案は、弾性係止体の変形によってピン体に係止されているため、裁断及び糊付作業中の振動や長期の使用で弾性係止体の復元性が低下することによって外れることがあり、また、長期の使用によって、固定状態が甘くなり、ガタ付きが生じる等の問題が生じることがあった。
【００１１】
本発明は、スリッターを壁紙糊付機本体に簡便な操作でしっかりと取付けられることは勿論のこと、裁断及び糊付作業中の振動や長期の使用によっても確実な固定状態が維持される壁紙糊付機を得ることを目的とする。
【課題を解決するための手段】
【００１２】
請求項１に記載された発明に係る壁紙糊付機は、原反ロールから引き出されるシート状壁装材の両縁部を連続的に裁断するスリッターと、スリッターで両縁部が裁断された前記壁装材の裏面に連続的に糊を塗布する糊付機本体とを含む壁紙糊付機において、
前記スリッターと糊付機本体との間にはスリッターを糊付機本体に着脱可能に装着するための第１掛止機構と第２掛止機構とが互いに異なる高さ位置で設けられ、
前記第１掛止機構と第２掛止機構との少なくとも一方にはスリッターを糊付機本体に押し付ける押圧手段が設けられていることを特徴とするものである。
【００１３】
請求項２に記載された発明に係る壁紙糊付機は、請求項１に記載の押圧手段として、前記スリッターの自重に基づいて該スリッターを糊付機本体に押し付ける力を生じさせる接触伝動機構を含むことを特徴とするものである。
【００１４】
請求項３に記載された発明に係る壁紙糊付機は、請求項２に記載の第１掛止機構が第２掛止機構の上方に位置し、
前記押圧手段として、
前記スリッターの自重に加えて、該スリッターを糊付機本体に対して相対的に押し下げる方向の力を第１掛止機構に付与する押し下げ機構と、
該押し下げ機構による力の作用に基づいてスリッターを糊付機本体に押し付ける力を第２掛止機構に与える接触伝動機構とを含むことを特徴とするものである。
【００１５】
請求項４に記載された発明に係る壁紙糊付機は、請求項２又は３に記載の接触伝動機構として、
前記スリッター又は糊付機本体の一方に固定された接触伝動機構のフック状部材と、該フック状部材に対向してスリッター又は糊付機本体の他方に固定された接触伝動機構の掛合片とを含み、
前記フック状部材が掛合片と摺接するエッジ又は面は、前記自重又は押し下げ機構による力の作用に基づいてスリッターを糊付機本体に押し付ける力とするテーパーを含むことを特徴とするものである。
【００１６】
請求項５に記載された発明に係る壁紙糊付機は、請求項３又は４に記載の糊付機本体が、壁装材を装着する際に開放される上部構体と、壁装材の裏面に連続的に糊を塗布する糊付ロールを含む下部構体とを含み、
前記下部構体の上面には、前記スリッターに固定された第１掛止機構用フック材が掛止される第１掛止機構用掛合片が設けられ、
前記押し下げ機構として、第１掛止機構用フック材が掛止された第１掛止機構用掛合片の掛合部分に対向して上部構体に設けられた突設片を備えたことを特徴とするものである。
【００１７】
請求項６に記載された発明に係る壁紙糊付機は、請求項４に記載の接触伝動機構用掛合片が、板バネ機構を介してスリッター又は糊付機本体へ固定されていることを特徴とするものである。
【発明の効果】
【００１８】
本発明は以上説明した通り、スリッターを壁紙糊付機本体に簡便な操作でしっかりと取付けられることは勿論のこと、裁断及び糊付作業中の振動や長期の使用によっても確実な固定状態を維持することができるという効果がある。
【発明を実施するための最良の形態】
【００１９】
本発明においては、スリッターと糊付機本体との間にはスリッターを糊付機本体に着脱可能に装着するための第１掛止機構と第２掛止機構とが互いに異なる高さ位置で設けられ、第１掛止機構と第２掛止機構との少なくとも一方にはスリッターを糊付機本体に押し付ける押圧手段が設けられている。このため、第１掛止機構と第２掛止機構とで２つの相違する位置で掛止され、押圧手段によってスリッターが持ち上がることが阻止されることにより、スリッターを壁紙糊付機本体に簡便な操作でしっかりと取付けられる。
【００２０】
本発明での壁紙糊付機としては、スリッターを備えた壁紙糊付機を指す。糊付に際して原動機等の駆動源を備えた自動壁紙糊付機は勿論のこと、スリッター自体に回転刃を駆動する駆動源を備えたものであれば、手動で壁装材を引き出す手動糊付機にも本発明は適用可能であるため、手動壁紙糊付機をも指す。
【００２１】
また、本発明での押圧手段としては、スリッターを糊付機本体に押し付けるものであればよい。例えば本発明の好ましい態様としては、スリッターの自重に基づいて該スリッターを糊付機本体に押し付ける力を生じさせる接触伝動機構を含むものが挙げられる。また、別の態様としては、第１掛止機構が第２掛止機構の上方に位置している場合には、スリッターの自重に加えて、該スリッターを糊付機本体に対して相対的に押し下げる方向の力を第１掛止機構に付与する押し下げ機構と、この押し下げ機構による力の作用に基づいてスリッターを糊付機本体に押し付ける力を第２掛止機構に与える接触伝動機構とを含むものが挙げられる。
【００２２】
更に、本発明での接触電動機構としては、下方への力によりスリッターを糊付機本体に押し付ける力とするものであればよい。例えば好ましい態様としては、スリッター又は糊付機本体の一方に固定された接触伝動機構のフック状部材と、このフック状部材に対向してスリッター又は糊付機本体の他方に固定された接触伝動機構の掛合片とを含み、フック状部材が掛合片と摺接するエッジ又は面は、前記自重又は押し下げ機構による力の作用に基づいてスリッターを糊付機本体に押し付ける力とするテーパーを含むものが挙げられる。これにより、裁断及び糊付作業中の振動や長期の使用によっても確実な固定状態を維持することができる。
【００２３】
また、フック状部材と掛合片とは互いの組が対向するのであれば、糊付機本体とスリッターとのどちらにも設置可能である。例えば、スリッターにフック状部材が設置される場合には、フック状部材の爪部分は下方に向かって設置され、糊付機本体に設置される場合には、爪部分は上方に向かって設置される。
【００２４】
また、本発明での押し下げ機構としては、スリッターを糊付機本体に対して相対的に押し下げる方向の力を付与するものであればよい。これにより、糊付機本体から駆動を与えられるスリッターでも裁断作業時にスリッターが持ち上がることが無い。即ち、スリッターはギアを介して糊付機本体から駆動力が伝達されることにより回転刃が回動し、壁装材の両耳部分を切断する。このため、単にスリッターの自重だけでは、固定が不十分となるため、スリッターは上方に持ち上がり、結果的に壁紙の裁断点が一定にならず、きれいな裁断が行われなくなる場合がある。
【００２５】
より具体的な押し下げ機構としては、糊付機本体が、壁装材を装着する際に開放される上部構体と、壁装材の裏面に連続的に糊を塗布する糊付ロールを含む下部構体とを含み、この下部構体の上面には、前記スリッターに固定された第１掛止機構用フック材が掛止される第１掛止機構用掛合片が設けられている場合に、好ましい態様としては、第１掛止機構用フック材が掛止された第１掛止機構用掛合片の掛合部分に対向して上部構体に設けられた突設片を備えたものが挙げられる。
【００２６】
本発明での接触伝達機構の掛合片としては、フック状部材のテーパーを備えたエッジ又は面に摺接して、スリッターの自重又は押し下げ機構による力の作用に基づいてスリッターを糊付機本体に押し付ける力が発生されるものであればよく、例えばピン等のものが挙げられる。
【００２７】
接触伝動機構用掛合片の好ましい態様としては、板バネ機構を介してスリッター又は糊付機本体へ固定されているものが挙げられる。例えば、前記掛合片としてのピンを曲折した板バネの一端上に保持し、他端部を糊付機本体又はスリッターに固定するものが挙げられる。これにより、裁断及び糊付作業中の振動や長期の使用によっても更に確実な固定状態を維持することができる。即ち、スリッター又は糊付機本体に配されたフック状部材のテーパーとピンとを摺接させ、スリッターの自重でピンを引き込み、これにより板バネがピンを固定された糊付機本体又はスリッターの方向に付勢する付勢力が働くことにより、裁断及び糊付作業中の振動や長期の使用によっても更に確実な固定状態を維持することができる。
【実施例】
【００２８】
図１は本発明の壁紙糊付機の一実施例の全体構成を示す側面透視図である。図１に示す通り、本壁紙糊付機は、糊を収容する糊桶４が設置される下部構体２と、この下部構体２に対して開閉可能に設置された上部構体３と、下部構体２を支持する脚部５とから主に構成される。
【００２９】
下部構体２内には、クロスＣを糊付機本体１内に後面側から引き入れて糊付ロール８へ送り出す取り込むための全幅の送り出しロール６と、糊桶４内の糊を糊付ロール８に転写する糊上げロール１３と、クロス裏面に糊を塗布する糊付ロール８と、この糊付ロール８に接して糊量を調節するドクターロール７と、クロスＣに適度な張力を与えて前部方向へ送り出す均しロール９とが互いにギアを介して連動可能にかつ所定間隔を持って平行に配列されるように糊桶４の側板又はこれと平行な軸受板に軸支されている。
【００３０】
一方、上部構体３内には、送り出しロール６と対になってピンチロールを構成すると共に検尺機能を備えた全幅の上側ピンチロール１０と、下部構体２内に配列されているロールとギアを介して連動されクロスＣに糊付機本体前部方向への送り出し張力を付与するためのドライブロール１２と、これら上側ピンチロール１０とドライブロール１２との間でクロスＣを上から押さえ込む押さえステー１１とが、互いに所定間隔で平行に配列されるように、それぞれ上部構体３の本体両側軸受フレームに軸支されている。また、下部構体２の後面側には、クロスの両側縁部を裁断するスリッター２０が着脱可能に取り付けられている。
【００３１】
スリッター２０の取付は、上下２つの相違する位置で掛止される掛止手段で行われる。具体的には、上部構体３を開放した際に、下部構体２の送り出しロール６の後面側の後面側ステー１５にスリッター２０の固定フック２４を引っ掛け、面一となった下部構体２の両軸受板の内側面に固定されたバネ２５に突設された掛合片としての掛合ピン２６にスリッター２０の軸受板の内側面に設けられたフック状部材としてのテーパー付きフック材２７を引っ掛けることで行われる。また、固定は上部構体３を閉塞した際に固定フック２４に対向する部分に押し下げ機構としてのストッパー２８を装着し、スリッターが持ち上がることを阻止する。
【００３２】
図２は板バネ機構としてのバネの構成を示す説明図である。図３は図２のバネに突設された掛合片としての掛合ピンの構成を示す説明図であり、ａ図は平面図、ｂ図は側面図である。図４は図３の掛合ピンに摺接するフック状部材としてのテーパー付きフック材の構成を示す説明図であり、ａ図は平面図、ｂ図は側面図である。図１及び図２に示す通り、付勢バネ２５は曲折した板バネの一端部に形成された２つの固定ネジ孔３０で下部構体２の両軸受板の内側面に固定され、他端部に図３の掛合ピン２６が装着されている。
【００３３】
図１及び図４に示す通り、テーパー付きフック材２７はスリッター２０の軸受板の内側面に２つのネジ止め孔３１で固定される。先端の下方に向かう爪部分には、掛合ピン２６と摺接する辺にスリッターの自重によってスリッターと糊付機本体とを互いに近接させるテーパーが備えられている。フック材２７のテーパー３２によって掛合ピン２６がスリッター側へ引張られ、この引張り力が付勢バネ２５により、スリッターと糊付機本体とを互いに近接させる付勢力となり、裁断及び糊付作業中の振動や長期の使用によっても更に確実な固定状態を維持することができる。
【図面の簡単な説明】
【００３４】
【図１】本発明の壁紙糊付機の一実施例の全体構成を示す側面透視図である。
【図２】板バネ機構としてのバネの構成を示す説明図である。
【図３】図２のバネに突設された掛合片としての掛合ピンの構成を示す説明図であり、ａ図は平面図、ｂ図は側面図である。
【図４】図３の掛合ピンに摺接するフック状部材としてのテーパー付きフック材の構成を示す説明図であり、ａ図は平面図、ｂ図は側面図である。
【図５】従来の自動壁紙糊付機の全体構成を示す側面透視図である。
【符号の説明】
【００３５】
Ｃ  …クロス、
１  …糊付機本体、
２  …下部構体、
３  …上部構体、
４  …糊桶、
５  …脚部、
６  …送り出しロール、
７  …ドクターロール、
８  …糊付ロール、
９  …均しロール、
１０…上側ピンチロール、
１１…押さえステー、
１２…ドライブロール、
１３…糊上げロール、
２０…スリッター、
２４…固定フック、
２５…バネ、
２６…掛合ピン、
２７…テーパー付きフック材、
２８…ストッパー、
３０…固定ネジ孔、
３１…ネジ止め孔、
３２…テーパー、
【図１】
2005052765.tif 000003
【図２】
2005052765.tif 000004
【図３】
2005052765.tif 000005
【図４】
2005052765.tif 000006
【図５】
2005052765.tif 000007